【事件の表示】
　平成　８年特許願第１１２８３０号「改良した声送信方法と装置」拒絶査定に対する審判事件［平成　８年１２月１３日出願公開、特開平　８−３２８８１３］について、次のとおり審決する。
【結　論】
　本件審判の請求は、成り立たない。
【理　由】
 １．手続きの経緯
　本願は、平成８年５月７日（優先日１９９５．５．３１米国）の出願であって、平成１３年２月２０日付で拒絶査定がなされ、これに対し、同年５月２３日に拒絶査定に対する審判請求がなされるとともに、同日付けで明細書について手続補正がなされたものである。
　
２．平成１３年５月２３日付の手続補正についての補正却下の決定
［補正却下の決定の結論］
平成１３年５月２３日付の手続補正を却下する。
［理由］
補正後の【請求項５】について
　平成１３年５月２３日付の手続補正により補正された【請求項５】は、当該補正前の【請求項８】における第４段落に記載されている「テキスト音声合成装置」について
「上記の記憶された声特性を使用して上記のユーザの声を合成することによって上記の送信したテキストをディジタル・オーディオに」と「変換するテキスト音声合成装置と、」の間に、「変換し、上記の記憶された声特性と上記第１のシステムから送信された他のテキストに挿入された声の韻律を指示するタグとから前記他のテキストをディジタル・オーディオに」という文章を挿入したものとなっている。
　しかし、この挿入文中における“他のテキスト”に該当するものは、願書に最初に添付した明細書又図面に記載されておらず、それを示唆する記載もない。
　したがって、当該手続補正における上記補正は、願書に最初に添付した明細書又図面に記載した事項の範囲内のものとは認められず、特許法第１７条の２第３項の規定に違反している。
　よって、平成１３年５月２３日付の手続補正は、特許法第１５９条で準用する同法第５３条第１項の規定により却下する。
　
３．本件発明について
　平成１３年５月２３日付の手続補正は、上記のとおり却下されたので、本件特許請求の範囲の【請求項８】に係る発明（以下、「本件発明」という。）は、平成１３年１月１８日付の手続補正書に記載された次のとおりのものである。
「声を送信するコンピュータ・システムに於いて、上記のコンピュータ・システムは、ユーザのディジタル化した声標本を第１システムに於いてテキストに変形する音声認識システムと、
　上記のユーザの声標本をディジタル化するアナログ／ディジタル・サブシステムと、
　上記のテキストと上記のディジタル化した声標本を第２システムに送信する手段と、
　上記の送信したディジタル化声標本から得た声特性を記憶する、上記第２システムの声データベースと、
　上記の記憶された声特性を使用して上記のユーザの声を合成することによって上記の送信したテキストをディジタル・オーディオに変換する、テキスト音声合成装置と、
　上記のディジタル・オーディオを可聴音に変換するディジタル／アナログ・サブシステムと、
　を含むことを特徴とするコンピュータ・システム。」
　
４．引用例
　原査定の拒絶の理由に引用された「特開平２−２０１４８号公報」（以下、「引用例」という。）には、図面とともに、次の事項が記載されている。
・「本発明は、・・・情報伝送量を少なくして多量の音声データを伝送できるようにした音声データパケット伝送装置を提供することを目的とするものである。」（第２頁左上欄第１１行〜第１５行目）
・「このように構成した本発明の音声データパケット伝送装置は、次のように動作する。すなわち、発側端末では予め音声の特質成分のデータを蓄積しておき、これを呼設定時に呼設定メッセージに付加して受側端末に送っておく。通話時には発側端末から音声のキャラクタ成分のデータのみをパケットデータとして受側端末に送り、受側端末では蓄積しておいた特質成分のデータとから音声合成する。このようにしたので、本発明は、伝送情報量を著しく減少させることになる。」（第２頁右上欄第１９行〜同頁左下欄第９行目）
・「第１図において、音声データパケット伝送装置２は、発側端末４と、受側端末６と、伝送回線であるネットワーク８とから構成されている。ここで、発側端末４は、音声認識回路４１と、蓄積電信手段４２と、パケット送信手段４３とを含んで構成されている。」（第２頁左下欄第１４行〜同欄第１９行目）
・「音声認識回路４１は、音声の特質成分の抽出時には音声信号Vcから音声の特質成分（音声の高さ、抑揚等）のデータを抽出し、かつ通話時には音声信号Vcからキャラクタ成分(文字列)のデータを抽出できるように回路構成されている。」（第２頁左下欄第１９行〜同頁右下欄第行４目）
・「蓄積送信手段４２は、音声認識回路４１からの音声の特質成分のデータを蓄積し、呼設定時には蓄積された特質成分のデータを呼設定メッセージに付して送出するように回路構成されている。また、パケット送信手段４３は、通話時に、音声認識回路４１からの音声のキャラクタ成分のデータをパケットデータとして伝送回線であるネットワーク８に送出できるように回路構成されている。」（第２頁右下欄第４行〜同欄第１２行目）
・「受側端末６は、受信蓄積手段６１と、パケットデータ受信手段６２と、音声合成回路６３とから構成されている。」（第２頁右下欄第１３行〜同欄第１５行目）
・「受信蓄積手段６１は、呼設定時に、呼設定メッセージを受信し音声の特質成分のデータを蓄積するように回路構成されている。パケットデータ受信手段６２は、通話時に、パケットデータから音声のキャラクタ成分のデータを得るように回路構成されている。」（第２頁右下欄第１５行〜同欄第２０行目）
・「音声合成回路６３は、受信蓄積手段６１からの特質成分のデータとパケットデータ受信手段６２からのキャラクタ成分のデータとから音声合成して出力できるように回路構成されている。」（第２頁右下欄第２０行〜第３頁左上欄第４行目）
・「まず、ユーザは自分の音声を発側端末４に登録する。これは、ユーザの音声を発側端末４の音声認識回路４１を介して音声の特質成分のデータを抽出し、これを蓄積送信手段４２蓄積しておくことにより、実現される。ついで、呼設定時に、蓄積送信手段４２に蓄積されていた音声の特質成分のデータは、呼設定メッセージに付加される。そして、音声の特質成分のデータが付加された呼設定メッセージは、蓄積送信手段４２からネットワーク８の信号チャネル８１を使用して送出される。
　一方、音声の特質成分のデータが付加された呼設定メッセージは、受側顛末６において受信蓄積手段６１で受信され、その音声の特質成分のデータのみを蓄積しておく。」（第３頁左上欄第９行〜同頁右欄第３行目）
　これらの記載からみて、同引用例には次の発明が記載されているものと認める。
「音声データを送出する発側端末と、音声データを受信する受側端末とを有する音声データ伝送装置において、
発側端末は、音声からその特質成分とキャラクタ成分のデータを抽出できる音声認識回路と、音声認識回路からの音声の特質成分のデータを蓄積して送出する蓄積送信手段と、音声認識回路からの音声のキャラクタ成分のデータを伝送回路に送出するパケット送信手段とを有し、
受側端末は、発側端末から送られてくる音声の特質成分のデータを受信し蓄積する受信蓄積手段と、発側端末から送られてくる音声のキャラクタ成分のデータを受信するパケットデータ受信手段と、受信蓄積手段に蓄積された音声の特質成分のデータとパケットデータ受信手段からの音声のキャラクタ成分のデータとから音声合成して音声信号を出力する音声合成回路とを有する、音声データ伝送装置」（以下、「引用例の発明」という。）
　
５．本件発明と引用例の発明との対比
　本件発明と引用例の発明とを対比すると、本件発明の「声を送信する」という表現は、「音声情報を送信する」の意味であることは明らかであり、本件発明における「第１システム」は音声情報を送信するものであり、同じく「第２システム」は音声情報を受信するものであり、また、引用例の発明における「発側端末４」と「受側端末６」はそれぞれコンピュータを備えていることも明らかであり、引用例における「発側端末４」「受側端末６」は本件発明における「第１システム」「第２システム」にそれぞれ対応していることから、引用例の発明も基本的に本件発明と共通した構成を有するコンピュータ・システムである。
　また、引用例における“音声の特質成分のデータ”は、ユーザの声の特徴を表すためのものであるという点で本件発明の“声標本”、“声特性”に対応しており、引用例における“キャラクタ成分（文字列）のデータ”は本件発明における“テキスト”に対応している。そして、引用例における「音声認識回路４１」は、音声信号Ｖｃから音声の特質成分のデータとキャラクタ成分（文字列）のデータを抽出する機能を有するものであり、それぞれのデータはデジタルであると認められるので、本件発明における「アナログ／ディジタル・サブシステム」「音声認識システム」に対応している。
　引用例における「蓄積送信手段４２」は音声認識回路４１からの音声の特質成分のデータを蓄積して送出するものであり、「パケット送信手段４３」は音声認識回路からの音声のキャラクタ成分のデータを伝送回路に送出するものであるから、「蓄積送信手段４２」および「パケット送信手段４３」は、本件発明における「テキストとディジタル化した声標本を第２システムに送信する手段」に対応している。
　引用例における「受信蓄積手段６１」は音声の特質成分のデータを受信し蓄積するものであるから本件発明おける「声データベース」に対応し、引用例における「パケットデータ受信手段６２」「音声合成回路６３」は受信蓄積手段６１からの特質成分のデータとキャラクタ成分のデータとから音声合成して音声信号を出力する点で、本件発明における「テキスト音声合成装置」に対応している。
　したがって、本件発明と引用例の発明は、次の一致点と相違点を有する。
（一致点）
　声を送信するコンピュータ・システムに於いて、上記コンピュータ・システムは、
　ユーザの声標本を第１システムにおいてテキストに変形する音声認識システムと、
　上記のユーザの声標本をディジタル化するアナログ／ディジタル・サブシステムと、
　上記のテキストと上記のディジタル化した声標本を第２システムに送信する手段と、
　上記の送信したディジタル化声標本から得た声特性を記憶する、上記第２システムの声データベースと、
　上記の記憶された声特性を使用して上記のユーザの声を合成することによって上記の送信したテキストを可聴音に変換する、テキスト音声合成装置およびディジタル／アナログ・サブシステムと、
　を含むことを特徴とするコンピュータ・システム。」
（相違点）
　本件発明は、テキスト音声合成装置において、記憶された声特性を使用して上記のユーザの声を合成することによって送信したテキストをデジタル・オーディオに変換すると共に、このデジタル・オーディオを可聴音に変換するデジタル／アナログ・サブシステムを備えているのに対し、引用例の発明、このような構成が不明である点。
（相違点の検討）
　音声合成において、テキストを声特性を使用して一旦デジタル・オーディオに変換し、それからデジタル／アナログ・サブシステムにより可聴音に変換するようにすることは、調子やテンポを変更する場合などに用いられる周知慣用技術であり、音声データを伝送するコンピュータ・システムに採用することは必要に応じて適宜なし得ることであるから、当該相違点は当業者が容易に想到できるものと認められる。
　
６．むすび
　以上のとおり、本願発明は、引用例に記載された発明に基づいて、当業者が容易に発明をすることができたものと認めらるので、特許法第２９条第２項の規定により許を受けることができない。
　よって、結論のとおり審決する。